(57)【要約】【課題】相手を特定してデータ通信することができ、しかも、相手先の情報を、使用者が通信端末に予め登録せずに、相手がアクセスすることを常時防止することができる通信端末及び通信方法を提供することを目的とする。【解決手段】他端末とＩＰ網を通じて通話する通話手段と、通話と並行してデータ通信するデータ通信手段と、通話又は通信中の相手先情報を取得する相手先情報取得手段とを有する。また、通信要求を受けた際、他端末と通話中であり、かつ、通信要求先が上記通話中の相手先情報と一致していれば、通信し、一致していなければ、通信を拒否する制御手段を有する通信端末である。【選択図】図５
2009044447.tif 000002
【特許請求の範囲】
【請求項１】
他端末とＩＰ網を通じて通話する通話手段と；
通話と並行してデータ通信するデータ通信手段と；
通話又は通信中の相手先情報を取得する相手先情報取得手段と；
通信要求を受けた際、他端末と通話中であり、かつ、通信要求先が上記通話中の相手先情報と一致していれば、通信し、一致していなければ、通信を拒否する制御手段と；
を有することを特徴とする通信端末。
【請求項２】
請求項１において、
相手との通話が切断されてから一定時間は、データ通信を継続することを特徴とする通信端末。
【請求項３】
請求項１において、
上記データ通信を行う際に、サーバとして動作することを特徴とする通信端末。
【請求項４】
他端末とＩＰ網を通じて通話する通話工程と；
通話と並行してデータ通信するデータ通信工程と；
通話又は通信中の相手先情報を取得し、記憶装置に記憶する相手先情報取得工程と；
通信要求を受けた際、他端末と通話中であり、かつ、通信要求先が上記通話中の相手先情報と一致していれば、通信し、一致していなければ、通信を拒否する制御工程と；
を有することを特徴とする通信方法。
【発明の詳細な説明】
【技術分野】
【０００１】
本発明は、パーソナルコンピュータ、ＦＡＸ、ＩＰ電話等のＩＰを使用して音声通話、データ通信を行う通信端末及び通信方法に関する。
【背景技術】
【０００２】
近年、ブロードバンド網の普及に伴い、ＩＰ電話の利用者数が急激に増加している。そこで、ＩＰ電話にセキュリティを持たせる場合、ＩＰ電話で発番号通知を受け、端末内のメモリに予め登録されている番号と一致すれば、データ通信を許可する発明が知られている（たとえば、特許文献１参照）。
【特許文献１】特開２００４−１９４２４６号公報
【発明の開示】
【発明が解決しようとする課題】
【０００３】
しかし、上記従来技術では、相手を特定してデータ通信する点ではセキュアであるが、上記相手は、いつでも自端末にアクセスすることができるという問題がある。また、ＵＩの面でも、相手に通信を許可するかどうかを登録することが煩わしいという問題がある。
【０００４】
本発明は、相手を特定してデータ通信することができ、しかも、相手先の情報を、使用者が通信端末に予め登録せずに、相手がアクセスすることを常時防止することができる通信端末及び通信方法を提供することを目的とする。
【課題を解決するための手段】
【０００５】
本発明は、他端末とＩＰ網を通じて通話する通話手段と、通話と並行してデータ通信するデータ通信手段と、通話又は通信中の相手先情報を取得する相手先情報取得手段とを有する。また、本発明は、通信要求を受けた際、他端末と通話中であり、かつ、通信要求先が上記通話中の相手先情報と一致していれば、通信し、一致していなければ、通信を拒否する制御手段を有する通信端末である。
【発明の効果】
【０００６】
本発明によれば、相手先の情報を、ＳＩＰプロトコル上で自動的に判別し、その相手と通話中である場合にのみ、データ通信を許可するので、使用者が相手先の情報を予め登録せずに、相手がアクセスすることを常時防止することができるという効果を奏する。
【発明を実施するための最良の形態】
【０００７】
発明を実施するための最良の形態は、次の実施例である。
【実施例１】
【０００８】
図１は、本発明の実施例１である通信端末１００の構成を示すブロック図である。
【０００９】
通信端末１００は、ネットワークＩ／Ｆ１と、プロトコル解析部２と、ＲＡＭ３と、表示部４と、ＲＯＭ５と、ＣＰＵ６と、バス７とを有する。
【００１０】
ネットワークＩ／Ｆ１は、ＩＰ網に接続される。プロトコル解析部２は、ネットワークＩ／Ｆ１を介して到来する各種データを解析する。ＲＡＭ３は、動作モード等を記憶する。表示部４は、通信端末１００の諸状態をユーザに通知する。ＲＯＭ５は、後述する制御プログラムが格納している。
【００１１】
図２は、ＳＩＰプロトコルにおけるＩＮＶＩＴＥメッセージの例を示す図である。
【００１２】
通信端末１００において、本メッセージのＦｒｏｍ部分で、相手先を特定する。
【００１３】
図３は、ＳＩＰプロトコルで電話する際における標準的なシーケンスを示す図である。
【００１４】
まず、発呼側が、上記ＩＮＶＩＴＥメッセージを送付する。ＩＮＶＩＴＥメッセージを受信した着呼側は、電話のベルを鳴らす等、相手からの呼び出し処理を行い、併せて、発呼元へ呼び出し中であることを伝えるために、暫定応答Ｒｉｎｇｉｎｇを送出する。また、ここで、ＩＮＶＩＴＥメッセージの内容を解析し、解析された相手先情報を、ＲＡＭ３に記憶する。
【００１５】
次に、着呼側で、受話器をオフフックする（受話器をあげる）と、成功ＯＫを、発呼側に送信し、発呼側は、着呼側からのＯＫに基づいて、ＡＣＫ応答（セッション確立了解）を送信し、発呼側と着呼側との間でセッションが生成される。この生成されたセッション上で、音声データがやりとりされ、通話状態になる。
【００１６】
次に、実施例１において、データ通信する際に、エラーを発生させるための動作について説明する。
【００１７】
図４は、データ通信する際に、エラーを発生させるための動作例を示す図である。
【００１８】
まず、相手先がデータ通信を要求する。この要求に対して、データ通信要求を受けた側（自端末側）で、ＩＮＶＩＴＥメッセージを解析し、図３で述べた相手と通話状態が確立されていなければ、Ｎｏｔ  Ａｃｃｅｐｔａｂｌｅメッセージを送出する。そして、エラーを送出する。実施例１では、ＳＩＰプロトコルによるデータ通信に基づいているが、データ通信のプロトコルについて、たとえばＦＴＰやＨＴＴＰ等、相手先のＩＰが分かるプロトコルであれば、ＳＩＰ以外のプロトコルを使用するようにしてもよい。
【００１９】
次に、実施例１において、データ通信を開始する際の動作について説明する。
【００２０】
図５は、データ通信を開始する際の動作を示すフローチャートである。
【００２１】
Ｓ１で、データ通信要求があるかどうかを監視する。データ通信要求があると判断されると、現在、他の端末と通話中であるかどうかを判断する（Ｓ２）。通話中でなければ、図３で述べたプロトコルに従って、データ通信を拒否する（Ｓ５）。
【００２２】
また、図２の説明で述べた相手先情報に基づいて、通話している相手先のＩＰが、通信要求を出した相手先ＩＰと一致していると、Ｓ３で判断されると、データ通信を許可する（Ｓ４）。ここで、通話相手先のＩＰとデータ通信要求先のＩＰとが不一致であれば、Ｓ５で、データ通信を拒否する。
【００２３】
次に、実施例１において、データ通信を終了する際の動作について説明する。
【００２４】
図６は、実施例１において、データ通信を終了する際の動作を示すフローチャートである。
【００２５】
データ通信中であるかどうかを判断し（Ｓ１１）、データ通信中であれば、相手又は自分からデータ通信を終了する要求を行うと（Ｓ１２）、即座にデータ通信を終了させる（Ｓ１５）。ただし、データ通信を継続している状態で、通話が先に終了すると（Ｓ１３）、データ通信を即座には終了させず、ある一定時間は、データ通信を継続する（Ｓ１４）。ここで、上記一定時間が継続すると、データ通信断処理を行う（Ｓ１５）。
【００２６】
写真や音声データ等を通信できる機能が付加されているＩＰ電話において、通話しながらデータ通信することが多いと考えられる。この場合に備えて、実施例１では、通信要求を受けた際、他端末と通話中であり、かつ、通信要求先が上記通話中の相手先情報と一致していれば、通信し、一致していなければ、通信を拒否する。
【００２７】
つまり、上記実施例は、他端末とＩＰ網を通じて通話する通話手段と、通話と並行してデータ通信するデータ通信手段と、通話又は通信中の相手先情報を取得する相手先情報取得手段とを有する。また、上記実施例は、通信要求を受けた際、他端末と通話中であり、かつ、通信要求先が上記通話中の相手先情報と一致していれば、通信し、一致していなければ、通信を拒否する制御手段を有する通信端末の例である。
【００２８】
この場合、相手との通話が切断されてから一定時間は、データ通信を継続する。
【００２９】
また、上記データ通信を行う際に、サーバとして動作する。
【００３０】
そして、上記実施例を方法の発明として把握することができる。つまり、上記実施例は、他端末とＩＰ網を通じて通話する通話工程と、通話と並行してデータ通信するデータ通信工程と、通話又は通信中の相手先情報を取得し、記憶装置に記憶する相手先情報取得工程とを有する。また、上記実施例は、通信要求を受けた際、他端末と通話中であり、かつ、通信要求先が上記通話中の相手先情報と一致していれば、通信し、一致していなければ、通信を拒否する制御工程を有する通信方法の例である。
【図面の簡単な説明】
【００３１】
【図１】本発明の実施例１である通信端末１００の構成を示すブロック図である。
【図２】ＳＩＰプロトコルにおけるＩＮＶＩＴＥメッセージの例を示す図である。
【図３】ＳＩＰプロトコルで電話する際における標準的なシーケンスを示す図である。
【図４】データ通信する際に、エラーを発生させるための動作例を示す図である。
【図５】データ通信を開始する際の動作を示すフローチャートである。
【図６】実施例１において、データ通信を終了する際の動作を示すフローチャートである。
【符号の説明】
【００３２】
１００…通信端末、
１…ネットワークＩ／Ｆ、
２…プロトコル解析部、
３…ＲＡＭ、
４…表示部、
５…ＲＯＭ、
６…ＣＰＵ。
【図１】
2009044447.tif 000003
【図２】
2009044447.tif 000004
【図３】
2009044447.tif 000005
【図４】
2009044447.tif 000006
【図５】
2009044447.tif 000007
【図６】
2009044447.tif 000008